(57)【要約】      （修正有）【課題】使用者が革靴の形状を補正可能にし、特に、革靴の甲皮が型崩れした場合に元の形状へ補正可能にすることができる革靴を提供する。【解決手段】靴底１及び甲皮２を備え、甲皮２に履き口３１が形成された革靴１００において、履き口３１のトップライン３２に沿って、少なくとも履き口３１の両側方から履き口３１の後方を回り込むように配置され、手で容易に変形可能な柔軟性を有する金属線材からなる形状補正ワイヤー５１と、甲皮２を構成する外皮及び内皮の間に形成され、形状補正ワイヤー５１を保持するワイヤー保持部とを備える。【選択図】図１
0003227741.tif 000002
【実用新案登録請求の範囲】
【請求項１】
靴底及び甲皮を備え、前記甲皮に履き口が形成された革靴において、
前記履き口のトップラインに沿って、少なくとも前記履き口の両側方から前記履き口の後方を回り込むように配置され、手で容易に変形可能な柔軟性を有する金属線材からなる形状補正ワイヤーと、
前記甲皮を構成する外皮及び内皮の間に形成され、前記形状補正ワイヤーを保持するワイヤー保持部とを備えたことを特徴とする革靴。
【請求項２】
靴底及び甲皮を備え、前記甲皮に履き口が形成された革靴において、
前記履き口のトップラインに沿って、少なくとも前記履き口の両側方から前記履き口の後方を回り込むように配置された緩衝材と、
前記甲皮を構成する外皮及び内皮の間に形成され、前記緩衝材を保持するための緩衝材保持部とを備え、
前記緩衝材は、指で容易に変形することができる程度の柔軟性を有する形状補正ワイヤーの内皮側及び外皮側にそれぞれ配置される外側緩衝材及び内側緩衝材とにより構成されることを特徴とする革靴。
【請求項３】
前記緩衝材は、前記形状補正ワイヤーを挟み込むように緩衝材シートを折り曲げることにより形成されることを特徴とする請求項２に記載の革靴。
【請求項４】
前記緩衝材は、前記形状補正ワイヤーを挟み込む２枚の緩衝材シートからなることを特徴とする請求項２に記載の革靴。
【考案の詳細な説明】
【技術分野】
【０００１】
本考案は、革靴に係り、さらに詳しくは、靴底及び甲皮を備え、甲皮に履き口が形成された革靴の改良に関する。
【背景技術】
【０００２】
一般に、革靴は、合成樹脂を成形加工した靴底と、皮革を縫合して形成された甲皮とにより構成される。甲皮上面には、足を入れるための履き口が設けられ、履き口から入れた足は、靴底により支持されるとともに、甲皮によって覆われる。
【０００３】
靴底は、使用者の体重を支える部材であるため、適度な衝撃吸収性を有する一方、容易に塑性変形することがない丈夫な素材が用いられる。一方、甲皮は、使用者の足を覆う素材であるため、足にフィットする柔軟性を有する素材を用いる必要があり、変形を繰り返すうちに塑性変形が生じるという問題があった。特に、靴底は、平面的であるのに対し、甲皮は、立体的形状からなることから、変形が生じやすい。例えば、甲皮は、つま先側では内部空間を形成するアーチ型の形状からなり、踵側では、踵の周囲に沿って延びる壁形状である。このため、例えば、上から足で踏みつけることにより変形し、このような変形を繰り返すことにより元の形に戻らない、いわゆる型崩れした状態に至る。
【考案の概要】
【考案が解決しようとする課題】
【０００４】
本考案は、上記の事情に鑑みてなされたものであり、使用者が革靴の形状を補正可能にすることを目的とする。特に、革靴の甲皮が型崩れした場合に元の形状へ補正可能にすることを目的とする。
【課題を解決するための手段】
【０００５】
本考案の第１の態様による革靴は、靴底及び甲皮を備え、前記甲皮に履き口が形成された革靴において、前記履き口のトップラインに沿って、少なくとも前記履き口の両側方から前記履き口の後方を回り込むように配置され、手で容易に変形可能な柔軟性を有する金属線材からなる形状補正ワイヤーと、前記甲皮を構成する外皮及び内皮の間に形成され、前記形状補正ワイヤーを保持するワイヤー保持部とを備える。
【０００６】
このような構成を採用することにより、形状補正ワイヤーを変形させることにより、革靴の形状を容易に補正することができる。
【０００７】
本考案の第２の態様による革靴は、靴底及び甲皮を備え、前記甲皮に履き口が形成された革靴において、前記履き口のトップラインに沿って、少なくとも前記履き口の両側方から前記履き口の後方を回り込むように配置された緩衝材と、前記甲皮を構成する外皮及び内皮の間に形成され、前記緩衝材を保持するための緩衝材保持部とを備え、前記緩衝材は、指で容易に変形することができる程度の柔軟性を有する形状補正ワイヤーの内皮側及び外皮側にそれぞれ配置される外側緩衝材及び内側緩衝材とにより構成される。
【０００８】
本考案の第３の態様による革靴は、前記構成に加えて、前記緩衝材が、前記形状補正ワイヤーを挟み込むように緩衝材シートを折り曲げることにより形成される。
【０００９】
本考案の第４の態様による革靴は、前記構成に加えて、前記緩衝材が、前記形状補正ワイヤーを挟み込む２枚の緩衝材シートからなる。
【考案の効果】
【００１０】
本考案によれば、形状補正ワイヤーを備えることにより、使用者が革靴の形状を容易に補正することができる。特に、革靴の甲皮が型崩れした場合に元の形状へ戻すように補正することができる。
【図面の簡単な説明】
【００１１】
【図１】本考案の実施形態による革靴の一構成例を示した斜視図である。
【図２】革靴１００を図１のＡ−Ａ切断線により切断したときの断面の一例を示した断面図である。
【図３】形状補正ワイヤー５１及び緩衝材６１を示した図である。
【図４】革靴１００を図１のＡ−Ａ切断線により切断したときの断面の他の例を示した断面図である。
【図５】本考案の実施形態による革靴の他の構成例を示した斜視図である。
【図６】本考案の実施形態による革靴のさらに他の構成例を示した斜視図である。
【考案を実施するための形態】
【００１２】
図１は、本考案の実施形態による革靴の一構成例を示した斜視図である。図中に示した革靴１００は、合成樹脂を成型加工した靴底１と、皮革を縫合して形成された甲皮２とにより構成される。
【００１３】
靴底１は、革靴１００の底部に設けられて地面に接し、使用者の体重を支える部材である。また、靴底１は、略平面形状からなり、必要に応じて踵部分を底上げするためのヒールリフト１０が下面に取り付けられている。靴底１は、適度な衝撃吸収性を備える一方、使用者の体重を支える必要があるため、容易に塑性変形しない丈夫な素材が用いられる。
【００１４】
甲皮２は、靴底１の上部に設けられ、足の全周及び甲上面を覆う部材である。甲皮２は、複数枚の皮革を縫合することにより形成される。ここでいう皮革は、天然皮革又は合成皮革のいずれであってもよい。甲皮２は、足の形状にフィットさせる必要があり、柔軟性を有する素材からなる。このため、繰り返し使用することにより塑性変形が生じ易い。例えば、足で踏みつけるような変形を繰り返すことにより、元の形状に戻らなくなる状態、いわゆる型崩れが生じ易い。
【００１５】
甲皮２は、外側の外皮及び内側の内皮によって構成される。また、甲皮２は、爪先飾り（トゥキャップ）２０、爪先革（ヴァンプ）２１、羽根革（レースステイ）２２、舌革（タン）２３及び腰革（クウォーター）２４により構成される。
【００１６】
爪先飾り２０は、甲皮２の先端部分に配置される皮革片であり、爪先革２１は、爪先飾り２０よりも後方に配置される皮革片である。爪先革２１の前端は、爪先飾り２０の後端と縫合され、爪先革２１の後端は、左右の側面部分が中央の上面部分より後方まで延び、踝（くるぶし）付近に至る形状を有する。
【００１７】
羽根革２２は、爪先革２１と履き口３１の間に配置される皮革片であり、履き口３１からつま先に向かって切り込みが形成され、靴紐（リース）３０を用いることにより、切り込みの開き具合を調整することができる。舌革２３は、羽根革２２と重複するように、羽根革２２よりも内側に配置された皮革片であり、羽根革２２の切り込みを介して足が露出するのを防止する。
【００１８】
腰革２４は、爪先革２１及び羽根革２２よりも後方に配置される皮革片であり、左右の両側面から踵の後方を回り込み、踵全体を覆う形状からなる。腰革２４の前端は、爪先革２１及び羽根革２２と縫合される。
【００１９】
履き口３１は、足を出し入れするための開口である。履き口３１は、前方に配置された羽根革２２及び舌革２３と、両側方及び後方に配置された腰革２４により形成される。トップライン３２は、履き口３１の縁部に相当する腰革２４の上端である。トップライン３２は、足の両側方から足の後方を回り込む形状からなり、踝（くるぶし）との干渉を避けるように、両側方部分において緩やかなカーブを描く曲線からなり、踝付近が低くなっている。
【００２０】
形状補正ワイヤー５１，５２は、革靴１００の甲皮２の内部に配置された金属製の線材であり、変形自在の芯材として用いられる。形状補正ワイヤー５１，５２は、手で簡単に変形することができるが、外力を加えなければ、その形状を維持することができる程度の柔軟性を有する材料からなる。例えば、鉄、銅などを断面が径０．５〜３ｍｍの円又は楕円からなる細長い形状に加工することにより、形状補正ワイヤー５１，５２が得られる。形状補正ワイヤー５１，５２は、ワイヤー保持部（不図示）内に収容される。ワイヤー保持部は、甲皮２の外皮及び内皮の間に形成された閉領域であり、形状補正ワイヤー５１，５２は、甲皮２の外側、内側のいずれからも視認することができず、また、甲皮２上の所定の位置に、移動しないように保持されている。
【００２１】
形状補正ワイヤー５１は、履き口３１のトップライン３２に沿って配置されている。つまり、腰革２４の上端に沿って、履き口３１の両側方から履き口３１の後方を回り込むように配置されている。このような形状補正ワイヤー５１を備えることにより、履き口３１の形状、つまり、トップライン３２の形状を容易に制御することができる。
【００２２】
革靴１００は、繰り返し使用することにより、腰革２４が塑性変形し、トップライン３２が変形することが少なくない。このような場合であっても、形状補正ワイヤー５１の形状を手で修正することにより、元の状態に戻すことができる。例えば、履き口３１の後方を足で踏みつけると、腰革２４が履き口３１の内側へ倒れ込むように塑性変形する場合がある。このような場合であっても、形状補正ワイヤー５１の形状を修正することにより、元の状態に近い状態に戻すことができ、当該状態を維持することができる。さらに、未使用の状態においても、形状補正ワイヤー５１の形状を手で修正することにより、使用者の足の形や好みに応じた形状に変形させることができる。
【００２３】
形状補正ワイヤー５２は、爪先飾り２０及び爪先革２１の縫合線に沿って配置されている。つまり、爪先部分において左右方向に延びるアーチ状の形状からなり、その両端は、靴底１近傍に配置されている。このような形状補正ワイヤー５２を備えることにより、甲皮２の爪先部分の形状を容易に制御することができる。
【００２４】
図２は、革靴１００を図１のＡ−Ａ切断線により切断したときの断面の一例を示した断面図であり、トップライン３２及び緩衝材保持部６０を含む腰革２４の断面の一部が示されている。図３は、形状補正ワイヤー５１及び緩衝材６１を示した図である。腰革２４は、外皮２４１及び内皮２４２により構成され、トップライン３２の近傍に緩衝材保持部６０を備え、緩衝材保持部６０内には、形状補正ワイヤー５１及び緩衝材６１が収容されている。
【００２５】
腰革２４は、外側に配置された外皮２４１と、内側に配置された内皮２４２とを重ね合わせるように結合して構成される。外皮２４１及び内皮２４２は、糸を用いて縫合されるとともに、接着剤６２を用いて貼り合わされる。図示した腰革２４は、緩衝材保持部６０の直近上下がそれぞれ縫合されるとともに、緩衝材保持部６０よりも下側が接着剤６２により貼り合わされている。
【００２６】
緩衝材保持部６０は、外皮２４１及び内皮２４２に挟まれた閉空間であり、トップライン３２に沿って配置されている。つまり、緩衝材保持部６０は、腰革２４の上端に沿って、履き口３１の両側方から履き口３１の後方を回り込むように配置されている。
【００２７】
緩衝材６１は、衝撃を吸収するための柔軟性素材であり、例えば、発泡ポリウレタンを用いることができる。緩衝材６１は、トップライン３２に沿って伸びる細長い形状を有する。図中の緩衝材６１は、形状補正ワイヤー５１を挟み込むように、シート材を折り曲げて使用している。折り曲げることにより対向する両縁部は、接着剤６２を用いて貼り合わされ、形状補正ワイヤー５１が離脱しないように、緩衝材６１が包み込んでいる。
【００２８】
形状補正ワイヤー５１を緩衝材６１で包み込むように覆うことにより、履き心地を向上させることができる。また、形状補正ワイヤー５１の先端が、外皮２４１又は内皮２４２を突き破って突出するのを防止することができる。また、形状補正ワイヤー５１の先端を予め研磨して丸めておくことにおり、突出をより効果的に防止することができる。さらに、外皮２４１の内側に補強布を貼り付けておくことが望ましい。また、緩衝材保持部６０は、緩衝材６１だけでなく、形状補正ワイヤー５１も保持し、ワイヤー保持部としても機能している。
【００２９】
図４は、革靴１００を図１のＡ−Ａ切断線により切断したときの断面の他の例を示した断面図である。図２と比較すれば、形状補正ワイヤー５１が、２枚の緩衝材６１により挟み込まれている点で相違する。２枚の緩衝材６１は、接着剤６２により貼り合わされ、脱落しないように、形状補正ワイヤー５１を包み込んでいる。
【００３０】
図５は、本考案の実施形態による革靴の他の構成例を示した斜視図である。図中に示した革靴１０１は、甲皮２の構成と、形状補正ワイヤー５３，５４の形状及び配置とが図１の革靴１００の場合とは異なる。
【００３１】
革靴１０１は、靴底１及び甲皮２を備え、甲皮２は複数枚の皮革片により構成される。甲皮２は、３枚の爪先革２１Ａ〜２１Ｃと腰革２４とにより構成され、また、３本の形状補正ワイヤー５３，５４を備えている。なお、形状補正ワイヤー５３，５４は、形状補正ワイヤー５１，５２と同様、金属製の線材からなり、甲皮２を構成する外皮及び内皮の間に形成されたワイヤー保持部（不図示）内に保持されている。
【００３２】
３枚の爪先革２１Ａ〜２１Ｃは、いずれも爪先の先端から後方に向かって延びる皮革片であり、中央に第２爪先革２１Ｂが配置され、その左右に第１爪先革２１Ａ及び第３爪先革２１Ｃが配置されている。第２爪先革２１Ｂは、履き口３１まで延び、その後端部が舌革として用いられる。第２爪先革２１Ｂは、舌革部分よりも前方部分が第１及び第３爪先革２１Ａ，２１Ｃとそれぞれ縫合されている。第１及び第３爪先革２１Ａ，２１Ｃの後端は、第２爪先革２１Ｂから分離され、第２爪先革２１Ｂの後端よりも後方まで延びる。
【００３３】
腰革２４は、爪先革２１Ａ〜２１Ｃよりも後方に配置される皮革片であり、左右の両側面から踵の後方を回り込み、踵の周囲全体を覆う形状からなる。腰革２４の前端は、第１及び第３爪先革２１Ａ，２１Ｃとそれぞれ縫合される。
【００３４】
２本の形状補正ワイヤー５３は、３枚の爪先革２１Ａ〜２１Ｃ間の縫合線に沿って配置されている。つまり、爪先部の先端から舌革部分の根元付近まで延びる形状を有する。また、形状補正ワイヤー５４は、舌革部分の外縁、つまり、第２爪先革２１Ｂの後端に沿って延び、さらに左右の縁部に回り込むように延びる形状を有する。
【００３５】
革靴１０１は、繰り返し使用することにより、爪先部分や舌革部分が変形することがある。このような場合であっても、形状補正ワイヤー５３，５４の形状を手で修正することにより、元の状態に戻すことができる。例えば、爪先部や舌革部を足で踏みつけると、爪先革２１Ａ〜２１Ｃが内側へ凹むように塑性変形する場合がある。このような場合であっても、形状補正ワイヤー５３，５４の形状を修正することにより、元の状態に近い状態に戻すことができる。
【００３６】
図６は、本考案の実施形態による革靴のさらに他の構成例を示した斜視図である。図中に示した革靴１０２は、甲皮２の構成と、形状補正ワイヤー５５の形状及び配置とが図１の革靴１００の場合とは異なる。
【００３７】
革靴１０２は、靴底１及び甲皮２を備え、甲皮２は複数枚の皮革片により構成される。甲皮２は、爪先革２１及び腰革２４により構成され、また、２本の形状補正ワイヤー５５を備えている。なお、形状補正ワイヤー５５は、形状補正ワイヤー５１〜５４と同様、金属製の線材からなり、甲皮２を構成する外皮及び内皮の間に形成されたワイヤー保持部（不図示）内に保持されている。
【００３８】
爪先革２１は、爪先部分の全体を覆う皮革片である。爪先革２１の後端部は、中央部及び両側部の３つに分かれ、中央部は履き口３１まで延び、その後端部が舌革として用いられる。
【００３９】
腰革２４は、履き口３１を囲むように形成され、その両端は履き口３１の前方において対向し、靴紐３０を用いることにより、両端間の開き具合を調整することができる。つまり、腰革２４の前端部は、羽根革として使用される。腰革２４の羽根革部は、爪先革２１の舌革部と重複するように、舌革部よりも外側に配置されている。また、腰革２４は、爪先革２１の舌革部（中央部）の側辺と縫合されるとともに、爪先革２１の両側部の後端と縫合されている。
【００４０】
形状補正ワイヤー５５は、腰革２４の羽根革部の縁部に沿って配置されている。図示した革靴１０２では、形状補正ワイヤー５５が、一対の羽根革部の互いに対応する辺に沿って延び、さらに、羽根革部の前端で折れ曲がり、羽根革部の前端に沿って延びる略Ｌ字型の形状からなる。このような形状補正ワイヤー５５の形状を手で修正すれば、繰り返し使用することにより塑性変形した羽根革部の形状を戻すことができる。
【００４１】
上記実施の形態では、紳士靴の例について説明したが、本考案の適用対象は、紳士靴のみに限定されない。例えば、婦人靴や子供靴に本考案を適用することができることはいうまでもない。
【符号の説明】
【００４２】
１          靴底
２          甲皮
１０        ヒールリフト
２０        爪先飾り
２１，２１Ａ〜２１Ｃ  爪先革
２２        羽根革
２３        舌革
２４        腰革
３０        靴紐
３１        履き口
３２        トップライン
５１〜５５  形状補正ワイヤー
６０        緩衝材保持部
６１        緩衝材
６２        接着剤
１００〜１０２  革靴
２４１      外皮
２４２      内皮
【図１】
0003227741.tif 000003
【図２】
0003227741.tif 000004
【図３】
0003227741.tif 000005
【図４】
0003227741.tif 000006
【図５】
0003227741.tif 000007
【図６】
0003227741.tif 000008